(57)【要約】      （修正有）【課題】ポータブルトイレの移動が簡単で、所定位置の床に簡単に固定することができるポータブルトイレを提供する。【解決手段】枠体部２に左右の脚部２１と腰掛部２３と背もたれ部２４と、腰掛部２３には便座３とその下部に便器容器とを設けたポータブルトイレ１であって、左右の脚部２１のそれぞれの底部の前後に１対のキャスター５を設け、キャスター５の全部を一括してロック及びロック解除する操作部６及び操作レバー６１を背もたれ部２４の外側に設けたポータブルトイレ。【選択図】図１
2014113331.tif 000002
【特許請求の範囲】
【請求項１】
枠体部に左右の脚部と腰掛部と背もたれ部と、前記腰掛部には便座とその下部に便器容器とを設けたポータブルトイレであって、
左右の脚部のそれぞれの底部の前後に１対のキャスターを設け、
該キャスターの全部を一括してロック及びロック解除する操作部及び操作レバーを前記背もたれ部の外側に設けたことを特徴とするポータブルトイレ。
【請求項２】
前記操作部及び操作レバーを、前記背もたれ部の外側で設けた左右の枠部に掛け渡した棒状部の適所に設け、該棒状部の上部に平行で左右に掛け渡した第２棒状部の適所に設け、該第２棒状部によって前記操作レバーが誤って作動することにないようにしたことを特徴とする請求項１に記載のポータブルトイレ。
【発明の詳細な説明】
【技術分野】
【０００１】
本発明は、主に、病院や介護施設等で被介護者が使用するポータブルトイレに関するものである。
【背景技術】
【０００２】
従来、一般にトイレ室の用便が困難な場合に、移動可能なポータブルトイレが使用される。このようなポータブルトイレは移動が容易である必要があり、このため特許文献１に示すように、背もたれの下端の外側にキャスターを設けて、ポータブルトイレ全体を傾けてこのキャスターを床に接地して移動するようにし、目的の場所で、ポータブルトイレを起こしてキャスターを床から離して所定位置に固定する。
なお、床頭台においては、４個のキャスターを一括して操作する機構をすでに本出願人によって特許文献２として提案されている。
【先行技術文献】
【特許文献】
【０００３】
【特許文献１】特開２００５−３０４６９４号公報
【特許文献２】特開２０１０−１１５４４５号公報
【発明の概要】
【発明が解決しようとする課題】
【０００４】
しかしながら、前述した特許文献１のポータブルトイレは、移動する際にはポータブルトイレ全体を傾けなければならず、不安定な状態で移動するので、移動し運搬する際に運搬車に過度の負荷が加わったり、場合によってはポータブルトイレが倒れてしまうといった事故も生じる問題点があった。
本発明の課題は、上述した問題点に鑑みてなされたもので、ポータブルトイレの移動が簡単で、所定位置の床に簡単に固定することができるポータブルトイレを提供しようとするものである。
【課題を解決するための手段】
【０００５】
上記課題を解決するために、請求項１の発明は、枠体部に左右の脚部と腰掛部と背もたれ部と、前記腰掛部には便座とその下部に便器容器とを設けたポータブルトイレであって、左右の脚部のそれぞれの底部の前後に１対のキャスターを設け、 該キャスターの全部を一括してロック及びロック解除する操作部及び操作レバーを前記背もたれ部の外側に設けたことを特徴とするポータブルトイレである。
請求項２の発明は、前記操作部及び操作レバーを、前記背もたれ部の外側で設けた左右の枠部に掛け渡した棒状部の適所に設け、該棒状部の上部に平行で左右に掛け渡した第２棒状部の適所に設け、該第２棒状部によって前記操作レバーが誤って作動することのないようにしたことを特徴とする請求項１に記載のポータブルトイレである。
【発明の効果】
【０００６】
本発明のポータブルトイレによれば、ポータブルトイレを設置した様態のままで、操作レバーを挙げて、キャスターの全部を一括してロック解除して簡単に移動することができ、目的の所定位置でキャスターの操作レバーを手から離せば、自動的にキャスター全部を一括してロックしてポータブルトイレを床に簡単に固定することができる。
【図面の簡単な説明】
【０００７】
【図１】本発明の実施例のポータブルトイレでシートを上げた状態の後方から斜め上方からの斜視図、
【図２】図１の前方から斜め上方からの斜視図
【図３】図１の右側面からの側面図、
【図４】本発明の実施例のポータブルトイレでシートを下ろして平坦した状態の後方から斜め上方からの斜視図、
【図５】図４の前方から斜め上方からの斜視図である。
【発明を実施するための形態】
【０００８】
本発明の好適なポータブルトイレの実施例を図面に沿って説明する。
【実施例】
【０００９】
図１〜３は、本発明のポータブルトイレ１の実施例で、シートを折りたたんで便座を露出した状態の図１は後方の斜め上方からの斜視図であり、図２は図１の前方の斜め上方からの斜視図、図３は右側面からの側面図である。
図１において、ポータブルトイレ１は、椅子型の骨格を有する枠体部２と一対の左右の脚部２１(21a,21b)と左右の枠部２２(22a,22b)に掛け渡した腰掛部２３と背もたれ部２４から構成され、腰掛部２３の中央には便座３とその下部に便器容器３１が設けられ、通常はこの便座３の上部を覆うようにシート４が設けられ、このシート部４は普段は椅子として着座して使用できるようにスポンジで厚くし、図１及び図３に示すように、２つに折りたためるようなスポンジシート４１、４２が設けられ、左右には折りたたみの肘掛け２７が設けられている。
【００１０】
また、図４、図５は、本発明のポータブルトイレ１の実施例で、図１〜３に示すように２つに折んだスポンジシート４１、４２を延ばして、通常の椅子のように使用する状態を示す図で、スポンジシート４１、４２を開いて平坦にし便座３をシート４で覆った状態で、図４は後方の斜め上方からの斜視図であり、図５は図４の前方の斜め上方からの斜視図である。このように、図４、図５ではトイレとしてではなく、通常の椅子として使用できる。
なお、便器容器３１はポータブルトイレ１から取り出すことができ、便器容器３１内に別途バケツ型のバケツ容器３２を設けてもよく、便器容器３１を取り出して処理するようにすればよい。
【００１１】
左右の脚部２１(21a,21b)のそれぞれの底部2１１の前後に１対のキャスター５(5a,5b,5c,5d)が設けられ、該キャスター５(5a,5b,5c,5d)の全部を一括してロック及びロック解除する操作部６及び操作レバー６１を背もたれ部２４の外側に張出部２４１に設けた棒状部２５の適所に、本実施例では背面の右側寄りに配置する。
棒状部２５は、枠体部２の左右端の枠部２２(22a,22b)を設け、この枠部２２(22a,22b)の上部に棒状部２５を水平に掛け渡して配置する。
【００１２】
この棒状部２５の上部に平行で左右の枠部２２(22a,22b)に掛け渡した第２棒状部２６を、棒状部２５と第２棒状部２６を段違い配置する。この第２棒状部２６は、第２棒状部２６が存在することによって操作レバー６１が誤って接触したりして作動することがないようにしたものである。
また、操作部６及び操作レバー６１を操作し、４本の同軸ケーブル６２によって、キャスター５(5a,5b,5c,5d)の全部を一括してロック及びロック解除する操作部６及び操作レバー６１で操作する。
【００１３】
本発明の実施例のポータブルトイレによれば、ポータブルトイレを設置した様態のままで、操作レバーを挙げて、キャスターの全部を一括してロック解除して簡単に移動することができ、目的の所定位置でキャスターの操作レバーを手から離せば、自動的にキャスター全部を一括してロックしてポータブルトイレを床に簡単に固定することができる。
なお、本発明の特徴を損なうものでなければ、上記の各実施例に限定されるものでないことは勿論である。
【符号の説明】
【００１４】
１・・ポータブルトイレ
２・・枠体部、２１,21a,21b・・脚部、２１１・・底部、
２２,22a,22b・・枠部、２３・・腰掛部、
２４・・背もたれ部、２４１・・張出部、
２５・・棒状部、２６・・第２棒状部、２７・・肘掛け
３・・便座、・・３１・・便器容器、３２・・バケツ容器、
４・・シート部、４１、４２・・スポンジシート、
５,5a,5b,5c,5d・・キャスター,
６・・操作部、６１・・操作レバー、６２・・同軸ケーブル、
【図１】
2014113331.tif 000003
【図２】
2014113331.tif 000004
【図３】
2014113331.tif 000005
【図４】
2014113331.tif 000006
【図５】
2014113331.tif 000007